(57)【要約】      （修正有）【課題】釣客が異なる状況に応じて釣錘の重量を容易に変えることができる釣錘を提供する。【解決手段】釣錘本体及び掛止リングを含み、前記釣錘本体が中空式管体、固定式結合本体及びウエイト連結式結合本体のいずれかの結合本体を含み、前記結合本体の両端に第一連結端部及び第二連結端部がそれぞれ螺合され、上述の結合本体は異なる方式でその重量を変えることができ、これにより、釣客は異なる形式の釣錘で必要な重量に変えることができ、また前記第一連結端部及び前記第二連結端部が前記結合本体に螺合されるため、釣客が前記結合本体の重量を変えるとき、前記掛止リング上に縛り付けられている釣り糸を切断する必要なく円滑に交換を行い、釣り糸を付け直す時間を節約することができる。【選択図】図３
0003142970.tif 000002
【実用新案登録請求の範囲】
【請求項１】
釣錘本体及び掛止リングを含み、そのうち、前記釣錘本体がその重量を変えることができる結合本体を含み、さらに前記結合本体の一端に釣り糸を縛り付けることができる連結端部を螺合して成ることを特徴とする、釣錘。       
【請求項２】
前記釣錘本体がその重量を変えることができる結合本体を含み、前記結合本体の両端にそれぞれ第一連結端部及び第二連結端部が螺合されることを特徴とする、請求項１に記載の釣錘。
【請求項３】
前記結合本体が中空式管体、固定式結合本体及び１つ以上のウエイト連結式結合本体のうちのいずれかであることを特徴とする、請求項２に記載の釣錘。      
【請求項４】
前記中空管体内に１つ以上の重りを入れることができることを特徴とする、請求項３に記載の釣錘。
【請求項５】
前記ウエイト連結式結合本体の一端に第一螺合固定部が形成されたことを特徴とする、請求項３に記載の釣錘。        
【請求項６】
前記ウエイト連結式結合本体の他端に第二螺合固定部が形成されたことを特徴とする、請求項３に記載の釣錘。
【請求項７】
前記結合本体が中空式管体であることを特徴とする、請求項１に記載の釣錘。      
【請求項８】
前記中空管体内に１つ以上の重りことを入れることができることを特徴とする、請求項７に記載の釣錘。
【請求項９】
前記連結端部に掛止リングが設置されたことを特徴とする、請求項１または２に記載の釣錘。        
【請求項１０】
前記釣錘本体の両端に、前記第一連結端部及び前記第二連結端部との間にパッキンを設置したことを特徴とする、請求項１または２に記載の釣錘。
【考案の詳細な説明】
【技術分野】
【０００１】
本考案は釣錘に関し、特に、その重量を変えることができ、且つ釣り糸を切断する必要がない、釣錘に関する。
【背景技術】
【０００２】
魚釣りはすでに現代人のレジャー活動の中でも最も好まれ、刺激に満ちており、且つチャレンジ性のある活動の一つであり、海釣り、釣堀、川釣り等を問わず、必要な用具及び関連装備はほとんど同じであるが、釣客はターゲットの魚の種類、魚釣りの環境、気候及び釣具の特性等に基づいて関連装備の様式及び重量を変える必要がある。あらゆる装備のうち、釣錘は最もよく見受けられるものであり、その機能は非常に重要で、釣錘の重量は釣客が非常にこだわり且つ注意を払うものであり、不正確な釣錘の重量は往々にして釣客の釣りが失敗に終わったり、釣り針が下に沈み過ぎて周辺の障害物が引っかかってしまい、釣り糸が切れたりすることにつながる。現在市場で見受けられる釣錘はほとんどが単一の重量を主としており、その糸を取り付ける方式は異なる様式の釣錘に伴いさまざまで、そのうち一つの方式は、図１に示す従来の釣錘のように、前記釣錘１が主に釣錘本体１０を含み、前記釣錘本体１０の両端にそれぞれ掛止リング１１が嵌設されている。これにより、釣客が前記釣錘本体１０を交換したいときは、元々前記掛止リング１１上に縛り付けられている釣り糸１２を切断しなければその他重量の釣錘１に交換することができない。前記釣錘本体１０の重量は固定式であるため、釣客が釣錘本体１０を交換する必要があるたびに上述の動作を繰り返し、その目的を達する必要がある。
【０００３】
しかしながら、上述の釣錘は使用時に次のような問題が確実に存在し、改善が待たれている。
一、  
釣客が環境のためまたは臨時にターゲットの魚の種類を変えるとき、釣客は釣錘１上の釣り糸１２をまず切断しなければ別の一組の異なる重量の釣錘１に交換することができないため、釣客が魚釣りをするとき、異なる規格の釣錘１を携帯する必要があり、釣客の手間と負担になっている。
二、  
上述のように、釣客が釣り糸１２を切断した後、再度新しい釣り糸１２の長さを測り、釣り糸１２を釣錘本体１０上の掛止リング１１に取り付ける必要があり、釣客が異なる状況に応じて前記釣錘１の重量を変えなければならない場合、何度も釣り糸１２の切断、釣り糸１２の長さ測定及び取り付けなどの手間のかかる手順を繰り返さなければならず、釣客は魚釣りの楽しみを享受することができなくなってしまう。
【考案の開示】
【考案が解決しようとする課題】
【０００４】
本考案の第一の目的は、釣客が異なる状況に応じて前記釣錘の重量を変える必要があるとき、異なる形式の釣錘により必要な重量に変えることができ、さらに、釣錘の重量を変えるために釣り糸を切断する必要がない釣錘を提供することにある。  
【０００５】
本考案の第二の目的は、釣客が環境のためまたは臨時にターゲットの魚の種類を変えるとき、釣客が随時釣錘の重量を変えることができ、それにより釣客が魚釣りをするとき、多種類の異なる規格の釣錘を携帯することで生じる手間と負担を軽減することができる、釣錘を提供することにある。
【０００６】
本考案の第三の目的は、前記釣錘を水中に入れたとき、水が記釣錘内に進入し、重量に誤差が生じて釣客が正常に釣錘を使用することができないという状況の発生を防止した、釣錘を提供することにある。
【課題を解決するための手段】
【０００７】
上述の目的を達するため、本考案の釣錘は、釣錘本体及び掛止リングを含み、前記釣錘本体は結合本体から成り、前記結合本体は中空式管体、重量固定式結合本体及びウエイト連結式結合本体とすることができ、前記結合本体の両端にそれぞれ第一連結端部及び第二連結端部が螺合され、各前記連結端部はあらかじめ定めた位置に前記掛止リングが嵌設され、さらに、前記結合本体の両端に、前記第一連結端部及び前記第二連結端部の間にパッキンが設置され、そのうち、前記ウエイト連結式結合本体は相互に螺合してその重量を変える効果を達成することができ、前記中空式管体は内部に重りを増設することで同様にその重量を変えることができる。これにより、釣客が異なる状況に応じて前記釣錘の重量を変える必要があるとき、異なる形式の釣錘によって必要な重量に変えることができ、さらに、前記第一連結端部及び前記第二連結端部が前記結合本体に螺合されるため、結合本体の重量を変えるために各前記連結端部上の釣り糸を切断する必要がない。
【考案の効果】
【０００８】
すべての図に示すように、本考案の使用時には、従来技術と比較して次のような利点が確実に存在する。
一、  
釣客が異なる状況に応じて前記釣錘の重量を変える必要があるとき、異なる形式の釣錘により必要な重量に変えることができ、さらに、前記第一連結端部２２及び前記第二連結端部２３が前記結合本体に螺合されているため、結合本体の重量を変えるために各前記連結端部２２、２３上に縛り付けられた釣り糸４を切断する必要がない。
二、  
釣客が環境のためまたは臨時にターゲットの魚の種類を変えるとき、釣客は随時釣錘の重量を変えることができ、これにより、釣客が魚釣りをするとき、多種類の異なる規格の釣錘を携帯する必要がなく、釣客の手間と負担を軽減することができる。
【実施例１】
【０００９】
図２及び図３に本考案の最良の実施例の立体分解図及び立体外観図をそれぞれ示す。これらの図からはっきりと分かるように、本考案の釣錘２は、ウエイト連結式結合本体２０及び掛止リング２１を含み、前記ウエイト連結式結合本体２０の両端にそれぞれ第一連結端部２２及び第二連結端部２３が螺合され、各前記連結端部はあらかじめ定めた位置に前記掛止リング２１が嵌設され、また、前記ウエイト連結式結合本体２０の両端に、前記第一連結端部２２及び前記第二連結端部２３との間にパッキン２４が設置される。そのうち前記ウエイト連結式結合本体２０の一端には第一螺合固定部２０１が設けられ、前記ウエイト連結式結合本体２０の他端には第二螺合固定部２０２が設けられる。
【００１０】
上述の構造と組立設計に基づき、本考案の使用時の状況について以下で説明する。同時に図４及び図５に本考案の最良の実施例の使用状態を示す立体図１及び２をそれぞれ示す。これらの図からはっきりと分かるように、前記ウエイト連結式結合本体２０の両端には第二螺合固定部２０２及び第一螺合固定部２０１が設けられているため、釣客が前記ウエイト連結式結合本体２０の重量を変えるときは、前記ウエイト連結式結合本体２０の第一螺合固定部２０１端を第二ウエイト連結式結合本体３０の第二螺合固定部３０２端に螺合することができ、これを繰り返して連結方式でその重量を変えることができる。これにより、釣客が前記ウエイト連結式結合本体２０の重量を変えたいときは、上述の方式でその重量を変えるという目的を達することができる。
【００１１】
さらに、前記第一連結端部２２及び前記第二連結端部２３が前記ウエイト連結式結合本体２０の両端に螺合され、各前記連結端部のあらかじめ定めた位置に前記掛止リング２１がそれぞれ嵌設され、これにより前記掛止リング２１を利用して釣り糸４を各前記掛止リング２１上に縛り付けることができ、釣客は前記ウエイト連結式結合本体２０の重量を変えたいとき、前記第一連結端部２２及び前記第二連結端部２３をそれぞれ取り外すだけですぐに前記ウエイト連結式結合本体２０の重量を変えることができるため、釣客が前記ウエイト連結式結合本体２０を交換するとき、元々前記掛止リング２１上に縛り付けられた釣り糸４を切断する必要なく、円滑に交換を行い、釣り糸４を取り付けなおす時間を節約することができる。
【実施例２】
【００１２】
図６及び図７に本考案の別の最良の実施例２の立体分解図及び立体外観図を示す。これらの図からはっきりと分かるように、本考案の釣錘５は、中空式管体５０及び掛止リング５１を含み、前記中空式管体５０の両端にそれぞれ第一連結端部５２及び第二連結端部５３が螺合され、各前記連結端部はあらかじめ定めた位置に前記掛止リング５１が嵌設され、また、前記中空式管体５０の両端に、前記第一連結端部５２及び前記第二連結端部５３との間にパッキン５４が設置され、そのうち、前記中空式管体５０内部に異なる重量の重り６を入れることができる。
【００１３】
上述の構造と組立設計に基づき、本考案の使用時の状況について以下で説明する。同時に図８及び図９に本考案の実施例２の使用状態を示す立体図１及び２を示す。これらの図からはっきりと分かるように、前記中空式管体５０内は中空の状態を呈するため、釣客需が前記中空式管体５０の重量を変えたいときは、まず前記第一連結端部５２を前記中空式管体５０の一端に螺合し、さらに使用上の必要に応じて異なる重量の重り６を用意した後、順に前記中空式管体５０内に入れ、入れた後前記第二連結端部５３を前記中空式管体５０の他端に螺合する。これにより、前記中空式管体５０の重量を変えることができる。
【００１４】
さらに、前記第一連結端部５２及び前記第二連結端部５３が前記中空式管体５０の両端に連結され、各前記連結端部のあらかじめ定めた位置にそれぞれ前記掛止リング５１が嵌設され、これにより前記掛止リング５１を利用して釣り糸７を各前記掛止リング５１上に縛り付けることができ、釣客は前記中空式管体５０の重量を変えたいとき、前記第一連結端部５２または前記第二連結端部５３を取り外すだけですぐに前記中空式管体５０の重量を変えることができるため、釣客が前記中空式管体５０を交換するとき、元々前記掛止リング５１上に縛り付けられた釣り糸７を切断する必要なく、円滑に交換を行い、釣り糸７を取り付けなおす時間を節約することができる。
【実施例３】
【００１５】
図１０及び図１１に本考案の最良の実施例３の立体外観図及び使用状態を示す立体図をそれぞれ示す。これらの図からはっきりと分かるように、本考案の釣錘８は、固定式結合本体８０及び掛止リング８１を含み、前記固定式結合本体８０の両端に第一連結端部８２及び第二連結端部８３がそれぞれ螺合され、各前記連結端部はあらかじめ定めた位置に前記掛止リング８１が嵌設され、また前記固定式結合本体８０の両端に、前記第一連結端部８２及び前記第二連結端部８３との間にパッキン８４が設置され、これにより、釣客が前記固定式結合本体８０の重量を変えたいときは、まず前記固定式結合本体８０上に螺合された前記第一連結端部８２及び前記第二連結端部８３をそれぞれ取り外し、さらに必要な重量に合った前記固定式結合本体８０に交換した後、前記第一連結端部８２及び前記第二連結端部８３をそれぞれ前記固定式結合本体８０の両端に螺合する。これにより、釣客が前記固定式結合本体８０を交換するとき、元々前記掛止リング８１上に縛り付けられた釣り糸９を切断する必要なく、円滑に交換を行い、釣り糸９を取り付けなおす時間を節約することができる。
【実施例４】
【００１６】
図１２及び図１３に本考案の最良の実施例４の立体外観図及び使用状態を示す立体図をそれぞれ示す。この図からはっきりと分かるように、本考案の釣錘５ａは中空式管体５０ａ及び掛止リング５１ａを含み、前記中空式管体５０ａの一端に連結端部５２ａが螺合され、前記連結端部５２ａはあらかじめ定めた位置に前記掛止リング５１ａが嵌設され、また前記中空式管体５０ａの一端に、前記連結端部５２ａとの間にパッキン５４ａ画設置され、そのうち前記中空式管体５０ａ内部には異なる重量の重り６ａを入れることができる。
【図面の簡単な説明】
【００１７】
【図１】従来の釣錘を示す立体外観図である。
【図２】本考案の最良の実施例１の立体分解図である。
【図３】本考案の最良の実施例１の立体外観図である。
【図４】本考案の最良の実施例１の使用状態を示す立体図１である。
【図５】本考案の最良の実施例２の使用状態を示す立体図２である。
【図６】本考案の最良の実施例２の立体分解図である。
【図７】本考案の最良の実施例２の立体外観図である。
【図８】本考案の最良の実施例２の使用状態を示す立体図１である。
【図９】本考案の最良の実施例２の使用状態を示す立体図２である。
【図１０】本考案の最良の実施例３の立体外観図である。
【図１１】本考案の最良の実施例３の使用状態を示す立体図である。
【図１２】本考案の最良の実施例４の立体外観図である。
【図１３】本考案の最良の実施例４の使用状態を示す立体図である。
【符号の説明】
【００１８】
１        釣錘
１０      釣錘本体
１１、２１、５１、５１ａ、８１    掛止リング
１２、４、７、９    釣り糸
２、５、５ａ、８    釣錘
２０      ウエイト連結式結合本体
２０１    第一螺合固定部
２０２、３０２    第二螺合固定部
２２、５２、８２  第一連結端部
２３、５３、８３  第二連結端部
２４、５４、５４ａ、８４    パッキン
５２ａ    連結端部
３０      第二ウエイト連結式結合本体
５０、５０ａ    中空式管体
６、６ａ    重り
８０      固定式結合本体
【図１】
0003142970.tif 000003
【図２】
0003142970.tif 000004
【図３】
0003142970.tif 000005
【図４】
0003142970.tif 000006
【図５】
0003142970.tif 000007
【図６】
0003142970.tif 000008
【図７】
0003142970.tif 000009
【図８】
0003142970.tif 000010
【図９】
0003142970.tif 000011
【図１０】
0003142970.tif 000012
【図１１】
0003142970.tif 000013
【図１２】
0003142970.tif 000014
【図１３】
0003142970.tif 000015